(57)【特許請求の範囲】
【請求項１】
表示器と、この表示器の背後に配置される回路基板と、この回路基板の背面側を第１の空間部を隔てて覆う背面カバーと、表示器の前方側を第２の空間部を隔てて覆う透視カバーとを備え、前記第１の空間部と前記第２の空間部とを繋ぐ通気路を形成すると共に前記背面カバーに前記第１の空間部と外部とを繋ぐ複数の通気孔が形成されてなる表示装置において、前記複数の通気孔のうち、前記通気路に対応する所定の通気孔の周囲に前記第１の空間部を前記回路基板と前記背面カバーとの対向方向に仕切る壁部を設けたことを特徴とする表示装置。
【請求項２】
前記透視カバーと前記回路基板との間に前記表示器少なくとも一部を収納する第３の空間部を有するケース体を有し、前記通気路が前記第３の空間部に連通することを特徴とする請求項１記載の表示装置。
【発明の詳細な説明】
【技術分野】
【０００１】
本発明は、例えば自動車やオートバイ、農機、建機の車両用計器として使用される表示装置に関し、特に内部と外部との通気構造に関する。
【背景技術】
【０００２】
この種の表示装置として例えば下記特許文献１に記載されたものが知られている。この表示装置は、液晶表示器や指針式計器からなる表示器と、この表示器の背後に配置される回路基板と、この回路基板の背面側を第１の空間部を隔てて覆う背面カバーと、表示器の前方側を第２の空間部を隔てて覆う透視カバーとを備えている。表示器の両側には第１の空間部と第２の空間部とを繋ぐ隙間（通気路）が形成される一方、背面カバーには複数の通気孔が形成され、これら通気孔、第１の空間部、通気路を介して第２の空間部の通気を行い、透視カバーの内側の曇りを防止している。
【先行技術文献】
【特許文献】
【０００３】
【特許文献１】特開２００２−３２３３５１号公報
【発明の開示】
【発明が解決しようとする課題】
【０００４】
しかしながら、前記特許文献１記載の表示装置は、背面カバーに複数の通気孔を設けるに留まっているため、第１の空間部（回路基板の裏面と背面カバーとの間）に存在する内気（回路基板から発せられる熱で暖められた空気）が通気孔を通じて取り入れた外気と混ざり合って第２の空間部に到達してしまうため、第２の空間部に新鮮な外気を導入するのが難しく、このため十分な曇り防止効果を得られないことがあった。
【０００５】
そこで、本発明は前述した問題点に着目し、表示器と前面カバーとの間に新鮮な外気を導入しやすくして、防曇性を向上させることが可能な表示装置を提供することを目的とする。
【課題を解決するための手段】
【０００６】
本発明は、表示器と、この表示器の背後に配置される回路基板と、この回路基板の背面側を第１の空間部を隔てて覆う背面カバーと、表示器の前方側を第２の空間部を隔てて覆う透視カバーとを備え、前記第１の空間部と前記第２の空間部とを繋ぐ通気路を形成すると共に前記背面カバーに前記第１の空間部と外部とを繋ぐ複数の通気孔が形成されてなる表示装置において、前記複数の通気孔のうち、前記通気路に対応する所定の通気孔の周囲に前記第１の空間部を前記回路基板と前記背面カバーとの対向方向に仕切る壁部を設けたことを特徴とする。
このように構成することにより、通気路に対応する所定の通気孔の周囲が壁部によって仕切られるため、第１の空間部に存在する暖かい内気が、所定の通気孔を通じて取り入れた外気と混ざり合うことを防止し、これにより第２の空間部に新鮮な外気を導入して防曇性を向上させることができる。
【０００７】
また本発明は、前記透視カバーと前記回路基板との間に前記表示器少なくとも一部を収納する第３の空間部を有するケース体を有し、前記通気路が前記第３の空間部に連通することを特徴とする。
このように構成することにより、第３の空間部の通気を可能とし、通気性を向上させることができる。
【発明の効果】
【０００８】
本発明によれば、防曇性を向上させることが可能な表示装置を提供することができる。
【図面の簡単な説明】
【０００９】
【図１】本発明の一実施形態による表示装置の正面図。
【図２】図１のＡ−Ａ断面図（ハッチング省略）。
【図３】図１のＢ−Ｂ断面図（ハッチング省略）。
【図４】同実施形態による表示装置の背面図。
【図５】背面カバーの前面側を示す正面図。
【発明を実施するための形態】
【００１０】
本発明の一実施形態による表示装置は、例えば車両の計器であり、透視カバー（前面カバー）１と、第１〜第４の表示器２〜５と、ケース体６と、回路基板７と、背面カバー８とで構成されている。
【００１１】
透視カバー１は、例えば透明な合成樹脂を用い、背面側が開口する箱体として形成され、その底面（底壁面）が第１〜第４の表示器２〜５の前方側を空間部（第２の空間部）ＦＳを隔てて覆うと共に、底面を通して第１〜第４の表示器２〜５が透視できるようになっている。
【００１２】
第１の表示器２は、例えば残存燃料を指示する指針式計器からなり、指針２１と、この指針２１の指示対象となる燃料指標２２と、指針２１を残存燃料の量に応じて駆動するステッピングモータや交差コイル式電動機からなる駆動本体２３とを有する。
【００１３】
第２の表示器３は、例えば冷却水温を指示する指針式計器からなり、指針３１と、この指針３１の指示対象となる水温指標３２と、指針３１を水温に応じて駆動するステッピングモータや交差コイル式電動機からなる駆動本体３３とを有する。
【００１４】
第３の表示器４は、例えば各種警報、報知情報を発光表示するインジケータからなり、複数のマーク４１と、これらマーク４１の各々に対応する発光ダイオードからなり点灯することで対応するマーク４１を透過照明して各種警報、報知情報を発光表示する光源４２とを有する。
【００１５】
第４の表示器５は、例えば走行距離や作業時間をデジタル表示するセグメント形式の液晶表示器からなり、液晶パネル５１や図示しない光源等を有している。
【００１６】
なお燃料指標２２、水温指標３２、マーク４１のそれぞれは、例えば一枚の表示パネルＰに印刷形成されたものである。この表示パネルＰは合成樹脂からなる基材にスクリーン印刷を施してなり、液晶パネル５１対応箇所、指針２１対応箇所、指針３１対応箇所にはそれぞれ開口が形成されている。
【００１７】
ケース体６は、例えば白色の合成樹脂を用いて前方及び背後に開口する有底枠体からなり、周壁部６１と底壁部６２とを有し、その前方開口部側で表示パネルＰ及び液晶パネル５１をを支持すると共に、背後開口部側には背面カバー８が配置される。
【００１８】
背面カバー８に面する底壁部６２背面には、回路基板７が配置され、各駆動本体２３，３３と共に底壁部６２にビス止め固定されている（図３参照）。
【００１９】
また各光源４２に対応する底壁部６２箇所は貫通孔とされ、この貫通孔の周囲を囲むように各マーク４１側に伸びる筒部６３が複数形成されている。
【００２０】
また後述する所定の通気孔に対応する底壁部６２と周壁部６１との間には、ケース体６の内部空間（第３の空間部）６ａと後述する空間部（第１の空間部）とを連通させる第１の切り欠き部６４が形成され、この第１の切り欠き部６４は、背面カバー８側に突出して伸びる筒状の障壁６５が形成され、この障壁６５の先端は回路基板７を越えて背面カバー８側に伸びており、ゴミや埃等の空間部ＦＳ側への進入を予防している。
【００２１】
さらに第１の切り欠き部６４に対応する前方開口部側には、周壁部６１と表示パネルＰとの間に部分的な隙間を形成させる第２の切り欠き部６６が形成されると共に表示パネルＰの第２の切り欠き部６６側端部と透視カバー１との間に隙間Ｓが形成され、これら隙間Ｓ及び第２の切り欠き部６６と、内部空間６ａ及び第１の切り欠き部６４とで、空間部ＦＳと後述する空間部とを連通させる通気路Ｖを構成している。
【００２２】
回路基板７は、紙フェノールやガラスエポキシ等の絶縁部材に回路パターンを印刷してなる硬質の一枚配線基板からなり、底壁部６２より小さなサイズに形成されることで、周壁部６１との間に隙間が形成され、後述する通気路を塞がないようにケース体６に固定されている。
【００２３】
背面カバー８は、例えば透明もしくは半透明な合成樹脂からなり、回路基板７の背面側を空間部（第１の空間部）ＢＳを隔てて覆っている。
【００２４】
この背面カバー８の底壁部８１には、複数（全部で６つ）の通気孔８２，８３が形成されている。これら通気孔８２，８３は、空間部ＢＳと外部を連通させるもので、ゴミや塵埃、水滴等の進入を防止するために断面形状が迷路状に形成されている。
【００２５】
通気孔８２，８３のうち、所定の通気孔８３は、第１の切り欠き部６４の近傍に位置するもので、空間部ＢＳを介して通気路Ｖと連通し、新鮮な外気を空間部ＢＳ及び通気路Ｖを介して空間部ＦＳに導くと共に内気を排出させて透視カバー１内面の曇りを防止する。
【００２６】
背面カバー８の底壁部８１の前面側には、所定の通気孔８３と第１の切り欠き部６４とを含む領域を囲んで回路基板７またはケース体６側に伸びる壁部８４が形成されている。この壁部８４は、空間部ＢＳを回路基板７と背面カバー８との対向方向に仕切る（区画）するもので、光源４２や図示しない発熱素子を搭載した回路基板７の熱で暖められた内気ＩＡを通気孔８３の周囲でブロックし、内気ＩＡが通気孔８３を通じて取り入れた外気（新鮮な空気）ＯＡと混ざって空間部ＦＳに至るのを防止している。なお空間部ＢＳ内の内気ＩＡは、別の通気孔８２を通じて外部に排出される。従って空間部ＦＳに新鮮な外気をより集中的に導入することが可能となる。
【００２７】
以上のように本実施形態によれば、表示器２〜５と、この表示器２〜５の背後に配置される回路基板７と、この回路基板７の背面側を空間部（第１の空間部）ＢＳを隔てて覆う背面カバー８と、表示器２〜５の前方側を空間部（第２の空間部）ＦＳを隔てて覆う透視カバー１とを備え、空間部ＢＳと空間部ＦＳとを繋ぐ通気路Ｖを形成すると共に背面カバー８に空間部ＢＳと外部とを繋ぐ複数の通気孔８２，８３が形成されてなる表示装置において、複数の通気孔８２，８３のうち、所定の通気孔８３の周囲に空間部ＢＳを回路基板７と背面カバー８との対向方向に仕切る壁部８４を設けたことにより、通気路Ｖに対応する通気孔８３の周囲が壁部８４によって仕切られるため、空間部ＢＳに存在する暖かい内気ＩＡが、所定の通気孔を通じて取り入れた外気と混ざり合うことを防止し、これにより空間部ＦＳに新鮮な外気（空気）を集中的に導入して防曇性を向上させることができる。
【００２８】
また本実施形態では、透視カバー１と回路基板７との間に表示器２〜５の一部を収納する内部空間（第３の空間部）６ａを有するケース体６を有し、通気路Ｖが内部空間（第３の空間部）６ａに連通することにより、内部空間の通気を可能とし、通気性を向上させることができる。
【００２９】
なお本実施形態では、ケース体６を採用したが、ケース体６は廃止してもよい。また壁部８４は空間部ＢＳを回路基板７と背面カバー８との対向方向に仕切る構造で、（暖まった）内気ＩＡの通気路Ｖ側への移行をブロックできればよく、その先端は本実施形態のように回路基板７やケース体６から若干離れていてもよいし、接していてもよい。さらに本実施形態では壁部８４と周壁部６１とが一部を共有する例を示したが、壁部８４を独立して設けてもよい。
【符号の説明】
【００３０】
１  透視カバー（前面カバー）
２〜５  第１〜第４の表示器
６  ケース体
７  回路基板
８  背面カバー
２１  指針
２２  燃料指標
２３  駆動本体
３１  指針
３２  水温指標
３３  駆動本体
４１  マーク
４２  光源
５１  液晶パネル
６１  周壁部
６２  底壁部
６３  筒部
６ａ  内部空間（第３の空間部）
６４  第１の切り欠き部
６５  障壁
６６  第２の切り欠き部
８２，８３  通気孔
Ｓ  隙間
Ｐ  表示パネル
Ｖ  通気路
ＢＳ  空間部（第１の空間部）
ＦＳ  空間部（第２の空間部）
ＩＡ  内気
ＯＡ  外気（新鮮な空気）
【図１】
0005403354.tif 000002
【図２】
0005403354.tif 000003
【図３】
0005403354.tif 000004
【図４】
0005403354.tif 000005
【図５】
0005403354.tif 000006